(57)【要約】【課題】シートクッションの上段跳上げ状態をチップアップロックの施錠で保ってリクライニングロックを開錠し、シートクッションが中段跳上げ状態にある時に、リクライニング用の作動レバーが誤り操作されても、リクライニングロックが開錠しない。【解決手段】シートクッションの上段跳上げ時に、作動レバー７の引張り操作により、リンクプレート７３をワイヤ止着ピン７６で上方に旋回させてリクライニングロックを開錠可能にし、一方、リンクプレート８２が開口穴８３による誘導ピン７２との当接逃げで上方に旋回せずにチップアップロックの開錠を空振り可能に構成し、また、シートクッションの中段跳上げ時に、作動レバー７の引張り操作により、ワイヤ止着ピン７６を制御穴７９の逃げ穴７９ｂに移動させてリクライニングロックの開錠を空振り可能に構成した。【選択図】図２
2007182153.tif 000002
【特許請求の範囲】
【請求項１】
シート全体の設置基となるベースブラケットを車体フロアの上段側に設け、作動軸の回動で開錠乃至は回動戻りで施錠可能なリクライニングロック機構をベースブラケットとバックブラケットとの相対間に備え、シートバックをリクライニングロックの施錠で着座姿勢に保持し、リクライニングロックの開錠で角度調整可能に構成し、
クッションブラケットの上方に湾曲する後部側を枢軸でバックブラケットの下部寄りに枢着し、車体フロアの下段側に立脚するスタンド脚部をクッションブラケットの前部側に設け、チップアップロック機構をクッションブラケットの後部側とバックブラケットの板面との間に備え、クッションブラケットの枢軸を支点としてシートクッションをチップアップロックの開錠で着座位置より上方の中段位置，シートバックと相対する上段位置と跳上げ可能で、シートクッションの跳上げ姿勢をチップアップロックの施錠で保持可能に構成し、
更に、着座姿勢にあるシートバックをリクライニングロックの開錠で前倒しさせてシート全体を車体フロアの下段側にダイブダウン収納可能に、或いは、シートクッションの上段跳上げ状態にあるシート全体をリクライニングロックの開錠で車体フロアの下段側にダイブダウン収納可能に構成する一方、シートクッションの中段跳上げ状態にあるシート全体を車体フロアの下段側にダイブダウン収納不能に構成するチップアップ・ダイブダウン式自動車用リクライニングシートにおいて、
枢軸を中心として後部側の上縁辺を略半円弧形に形成し、枢軸の上方で板面より側方に突出するストッパピンを設けたクッションブラケットを備え、
リクライニングロック開錠機構は、シートバックの背側上部に配設した引張り操作用の作動レバーと、下端側をリクライニングロック機構の作動軸に連結した屈伸可能なリンクバーと、中腹部をリンクバーの上端側に支軸で装着し、下部側をストッパピンと当接可能に配置した揺動可能な第１の制動リンクと、後部側をバックブラケットの板面に支軸で装着した旋回可能なリクライニング用のリンクプレートと、中腹部をリンクプレートの板面に支軸で装着し、伸長バーを上部側に支軸で軸承連結し、下部側を第１の制動リンクと逆側よりストッパピンと当接可能に配置した揺動可能な第２の制動リンクと備え、
第１の制動リンクの誘導ピンを上部側より側方に突出させて設け、該制動リンクの支軸を中心とする円弧状のガイド穴をリンクプレートの板面に設けて誘導ピンを挿通し、ワイヤ止着ピンを伸長バーの自由端側より側方に突出させて設け、ガイド穴の前穴端に位置する係合穴縁から上方に伸びる逃げ穴縁に連続する略Ｌ字状の制御穴をリンクプレートの板面に設け、ワイヤ止着ピンを制御穴に挿通させて引張り操作用の作動レバーとケーブルワイヤで連結し、
シート全体の着座姿勢時には、第１の制動リンクを下部側でストッパピンに当接させて誘導ピンをガイド穴の後穴縁に位置し、且つ、第２の制動リンクを下部側でストッパピンに当接させてワイヤ止着ピンを誘導穴の係合穴縁に位置し、シートクッションの中段位置跳上げにより、ストッパピンを第１の制動リンクから離脱させて誘導ピンを第１の制動リンクの自重による揺動下がりでガイド穴の前穴縁まで移動し、且つ、第２の制動リンクを下部側よりストッパピンで蹴り上げてワイヤ止着ピンを伸長バーで制御穴のＬ字基部まで移動し、シートクッションの上段位置跳上げにより、ストッパピンを第２の制動リンクから離脱させて止着ピンを第２の制動リンクの自重による揺動下がりで制御穴の係合穴縁に移動可能に組み立ててなり、
チップアップロック機構は、クッションブラケットの略半円弧形を呈する上縁辺と後部側を相対位置し、前部側をバックブラケットの板面に支軸で装着した揺動可能なラッチと、ラッチの係止用としてリクライニング用のリンクプレートの支軸と同軸上に装着した揺動可能なカムとを備え、
略半円弧形の後部側，中腹部，前部側の順で並ぶシートクッションの着座時用，中段跳上げ時用，上段跳上げ時用の各切欠歯をクッションブラケットの後部側上縁辺に設けると共に、クッションブラケットの切欠歯と択一に噛合乃至は離脱可能な突起歯をラッチの後部寄り下辺に設けてなり、
チップアップロック開錠機構は、シートクッションの前側下部に配設した引張り操作用の作動レバーと、リクライニング用のリンクプレートの支軸と同軸でカムと一体に装着した旋回可能なチップアップ用のリンクプレートとを備え、
引張り操作用の作動レバーをチップアップ用のリンクプレートとケーブルワイヤで連結し、下部側を受け止めてカムの揺動を規制する係止段部と、係止段部の段部縁より少なくとも切欠歯と突起歯との噛合代分だけ深くてカムの揺動を許容する窪み部とをラッチの後部寄り上辺に設け、更に、ガイド穴の後穴縁と重なり合って誘導ピンと係合可能な中段穴縁と、ガイド穴より下方に延びて誘導ピンより当接逃げ可能な下段穴縁と、ガイド穴より上方に延びて誘導ピンを逃がし移動可能な上段穴縁とに連続する開口穴をチップアップ用のリンクプレートに設けてなり、
シート全体が着座姿勢にある時、シートバックを角度調整しまたはシートバックを前倒しさせてシート全体をダイブダウン収納するに、リクライニング用の作動レバーを引張り操作すると、リクライニング用のリンクプレートが制御穴の係合穴縁に位置する止着ピンで上方に旋回させると共に、チップアップ用のリンクプレートがガイド穴の後穴縁と重なり合う開口穴の中段穴縁に係合する誘導ピンで上方に旋回し、第１の制動リンクよりリンクバーを上方に引張り移動させてリクライニングロックを開錠し、且つ、ラッチの係止段部から窪み部に揺動移動するカムによりラッチをクッションブラケットから揺動離間させてチップアップロックを開錠可能とし、
シート全体が着座姿勢にある時、シートクッションをチップアップするに、チップアップ用の作動レバーを引張り操作すると、チップアップ用のリンクプレートが上方に旋回し、ラッチの係止段部から窪み部に揺動移動するカムによりラッチをクッションブラケットから揺動離間させてチップアップロックを開錠可能とし、一方、リクライニング用のリンクプレートが開口穴の下段穴縁による誘導ピンの当接逃げで上方に旋回せずにリクライニングロックを開錠不能に空振り可能とし、
シートクッションの上段跳上げ状態にあるシート全体をダイブダウン収納するに、リクライニング用の作動レバーを引張り操作すると、リクライニング用のリンクプレートが制御穴の係合穴縁に位置する止着ピンで上方に旋回し、制動リンクよりリンクバーをガイド穴の前穴縁に位置する誘導ピンで上方に引張り移動させてリクライニングロックを開錠可能とし、一方、チップアップ用のリンクプレートが開口穴の下段穴縁から上段穴縁に向う誘導ピンの当接逃げで上方に旋回せず、チップアップロックを開錠不能に空振り可能とし、
シートクッションが中段跳上げ状態にある時に、シートバックの背側上部に配設した作動レバーを引張り操作すると、制御穴のＬ字基部に位置するワイヤ止着ピンが逃げ穴縁に入り込んでリクライニング用のリンクプレートを上方に旋回させず、リクライニングロックを開錠させないでダイブダウン収納不能に空振り可能とし、
シートバックの角度調整後、または、シートクッションの中段位置，上段位置跳上げ後に、作動レバーの引張りを解除すると、機構全体が自重による復帰でリクライニングロック，チップアップロックを共に施錠可能とし、一方、シート全体のダイブダウン収納時に、機構全体が自重による復帰不能でリクライニングロック，チップアップロックを共に開錠状態に保てるリクライニングロック開錠機構，チップアップロック開錠機構を備え付けたことを特徴とするチップアップ・ダイブダウン式自動車用リクライニングシート。
【請求項２】
ラッチの支軸中心とカムの当接点とを結ぶ線を基準に、カムの支軸中心とカムの当接点とを結ぶ線で描く角度の鋭角に相応させてカムの角度向きを設定し、ラッチの突起歯とクッションブラケットの切欠歯との噛合状態を該カムの角度向きで保つチップアップロック機構を備えてなることを特徴とする請求項１に記載のチップアップ・ダイブダウン式自動車用リクライニングシート。
【請求項３】
下部側を半楕円状に形成したカムを備え、カムの下部側が当接する略J字状を呈する係止段部に加え、該係止段部の段部縁より切欠歯と突起歯との噛合代分より深くてカムの下部側と整合する略Ｕ字状を呈する窪み部をラッチの揺動許容兼掛上げ用としてラッチの後部側上辺に設けたチップアップロック開錠機構を備えてなることを特徴とする請求項１または２に記載のチップアップ・ダイブダウン式自動車用リクライニングシート。
【請求項４】
上端寄りをクッションブラケットの前寄り下部に支軸で枢着したスタンド脚部を備え、そのスタンド脚部をバネでシートクッションの下部側に対する収納方向に付勢支持すると共に、片ワイヤ端を支軸によるスタンド脚部の枢着位置よりも上端側に連結し、他ワイヤ端をシートバック側に連結し、通常時はスタンド脚部をバネに抗して立脚方向に引張り、シートバックの前倒し途上またはシートクッションの跳上げ途上でスタンド脚部の引張り力を強から弱に、シートバックの戻し途上またはシートクッションの戻し途上でスタンド脚部の引張り力を弱から強に変換可能なケーブルワイヤで引張支持してなることを特徴とする請求項１に記載のチップアップ・ダイブダウン式自動車用リクライニングシート。
【発明の詳細な説明】
【技術分野】
【０００１】
本発明は、シートバックを着座姿勢に保ち、また、角度調整し乃至はシートクッション側まで前倒しするに施錠，開錠可能なリクライニングロック機構を備えると共に、シートクッションをシートバック側まで跳ね上げるに施錠，開錠可能なチップアップロック機構を備え、更に、シート全体を車体フロアの下段側にダイブダウン収納可能に構成するチップアップ・ダイブダウン式自動車用リクライニングシートに関するものである。
【背景技術】
【０００２】
従来、シートクッションをシートバック側まで跳上げ可能なチップアップロック機構を備え、シートクッションの跳上げ状態からチップアップロック機構を施錠状態に保ってシート全体を車体フロアの上段側より下段側にダイブダウン収納可能で、ダイブダウン収納状態からチップアップロック機構を開錠状態に保ってシート全体を元の着座姿勢に戻せるよう使い勝手のよいものに構成するチップアップ・ダイブダウン式自動車用シートが知られている（特許文献１）。
【０００３】
そのチップアップ・ダイブダウン式自動車用シートは、リクライニングロック機構を備えず、ラッチをシートバックの片側部に取り付けると共に、ストライカを車体のサイドパネルに取り付け、ラッチをストライカに係合させてシートバックを着座姿勢に保つよう構成されている。
【０００４】
そのチップアップ・ダイブダウン式自動車用シートをリクライニングシートとして構成するには、チップアップロック機構をリクライニングロック機構と別に操作可能に構成することは勿論、リクライニングロック機構を開錠すると、チップアップロック機構も開錠できてシート全体をダイブダウン収納でき、また、両機構を開錠状態に保ってダイブダウン収納状態からシート全体を元の着座姿勢に戻せるよう構成し、更に、シートクッションの跳上げ姿勢をチップアップロック機構の施錠で保ってリクライニングロック機構を開錠することからシート全体を車体フロアの下段側にダイブダウン収納可能に構成するとよい。
【０００５】
リクライニングロック機構の有無とは別に、上述した自動車用シートにおいてはシートクッションを着座位置よりシートバックと相対する上段位置まで一段に跳ね上げて施錠可能なチップアップロック機構が備え付けられている。
【０００６】
そのシートクッションの上段位置跳上げに加えて、シートクッションを着座位置より中段の跳上げ位置でもチップアップロック機構で施錠可能に構成すれば、例えば縦長な荷物を車体フロアに載置と共に、小さい荷物を中段位置まで跳ね上げたシートクッションとシートバックとの間に載置する如き荷物の載置形態が取れる。
【０００７】
そのシートクッションの中段跳上げ位置でもチップアップロック機構で施錠可能に構成には、一方で、シートクッションが中段位置跳上げ状態にある時に、リクライニングロックを開錠する作動レバーが誤り操作されても、リクライニングロックが開錠しないよう構成する必要がある。
【特許文献１】特開２００５‐２１２５５４
【発明の開示】
【発明が解決しようとする課題】
【０００８】
本発明が解決しようとする課題は、リクライニングロック機構をチップアップロック機構と共に備え、チップアップロック機構をリクライニングロック機構と別に操作可能に構成する。また、リクライニングロック機構を開錠すると、チップアップロック機構も開錠できてシート全体をダイブダウン収納でき、一方、両機構を開錠状態に保ってダイブダウン収納状態からシート全体を元の着座姿勢に戻せるよう構成する。
【０００９】
それに加えて、シートクッションを着座位置より中段跳上げ位置，上段跳上げ位置と数段に切り換えて跳上げ可能に構成すると共に、シートクッションの上段跳上げ状態をチップアップロック機構の施錠で保ってリクライニングロック機構を開錠することから、シート全体を車体フロアの下段側にダイブダウン収納可能に構成し、且つまた、シートクッションが中段跳上げ状態にある時に、リクライニングロックを開錠する作動レバーが誤り操作されても、リクライニングロックが開錠しないよう構成するところにある。
【００１０】
その他に、シートクッションを跳上げ姿勢に確実に施錠可能で、また、シートクッションの跳上げ時に確実に開錠可能なチップアップロック機構を備えるところにある。
【００１１】
更に、車体フロアの下段側に立脚するスタンド脚部をクッションブラケットの前部側に備え、このスタンド脚部をシートクッションの跳上げまたはシート全体のダイブダウンに連動させて収納可能で、シートクッションまたはシート全体の着座戻しに連動させて立脚出し可能に備え付けるところにある。
【課題を解決するための手段】
【００１２】
本願の請求項１に係る発明は、シート全体の設置基となるベースブラケットを車体フロアの上段側に設け、作動軸の回動で開錠乃至は回動戻りで施錠可能なリクライニングロック機構をベースブラケットとバックブラケットとの相対間に備え、シートバックをリクライニングロックの施錠で着座姿勢に保持し、リクライニングロックの開錠で角度調整可能に構成し、
クッションブラケットの上方に湾曲する後部側を枢軸でバックブラケットの下部寄りに枢着し、車体フロアの下段側に立脚するスタンド脚部をクッションブラケットの前部側に設け、チップアップロック機構をクッションブラケットの後部側とバックブラケットの板面との間に備え、クッションブラケットの枢軸を支点としてシートクッションをチップアップロックの開錠で着座位置より上方の中段位置，シートバックと相対する上段位置と跳上げ可能で、シートクッションの跳上げ姿勢をチップアップロックの施錠で保持可能に構成し、
更に、着座姿勢にあるシートバックをリクライニングロックの開錠で前倒しさせてシート全体を車体フロアの下段側にダイブダウン収納可能に、或いは、シートクッションの上段跳上げ状態にあるシート全体をリクライニングロックの開錠で車体フロアの下段側にダイブダウン収納可能に構成する一方、シートクッションの中段跳上げ状態にあるシート全体を車体フロアの下段側にダイブダウン収納不能に構成するチップアップ・ダイブダウン式自動車用リクライニングシートにおいて、
枢軸を中心として後部側の上縁辺を略半円弧形に形成し、枢軸の上方で板面より側方に突出するストッパピンを設けたクッションブラケットを備え、
リクライニングロック開錠機構は、シートバックの背側上部に配設した引張り操作用の作動レバーと、下端側をリクライニングロック機構の作動軸に連結した屈伸可能なリンクバーと、中腹部をリンクバーの上端側に支軸で装着し、下部側をストッパピンと当接可能に配置した揺動可能な第１の制動リンクと、後部側をバックブラケットの板面に支軸で装着した旋回可能なリクライニング用のリンクプレートと、中腹部をリンクプレートの板面に支軸で装着し、伸長バーを上部側に支軸で軸承連結し、下部側を第１の制動リンクと逆側よりストッパピンと当接可能に配置した揺動可能な第２の制動リンクと備え、
第１の制動リンクの誘導ピンを上部側より側方に突出させて設け、該制動リンクの支軸を中心とする円弧状のガイド穴をリンクプレートの板面に設けて誘導ピンを挿通し、ワイヤ止着ピンを伸長バーの自由端側より側方に突出させて設け、ガイド穴の前穴端に位置する係合穴縁から上方に伸びる逃げ穴縁に連続する略Ｌ字状の制御穴をリンクプレートの板面に設け、ワイヤ止着ピンを制御穴に挿通させて引張り操作用の作動レバーとケーブルワイヤで連結し、
シート全体の着座姿勢時には、第１の制動リンクを下部側でストッパピンに当接させて誘導ピンをガイド穴の後穴縁に位置し、且つ、第２の制動リンクを下部側でストッパピンに当接させてワイヤ止着ピンを誘導穴の係合穴縁に位置し、シートクッションの中段位置跳上げにより、ストッパピンを第１の制動リンクから離脱させて誘導ピンを第１の制動リンクの自重による揺動下がりでガイド穴の前穴縁まで移動し、且つ、第２の制動リンクを下部側よりストッパピンで蹴り上げてワイヤ止着ピンを伸長バーで制御穴のＬ字基部まで移動し、シートクッションの上段位置跳上げにより、ストッパピンを第２の制動リンクから離脱させて止着ピンを第２の制動リンクの自重による揺動下がりで制御穴の係合穴縁に移動可能に組み立ててなり、
チップアップロック機構は、クッションブラケットの略半円弧形を呈する上縁辺と後部側を相対位置し、前部側をバックブラケットの板面に支軸で装着した揺動可能なラッチと、ラッチの係止用としてリクライニング用のリンクプレートの支軸と同軸上に装着した揺動可能なカムとを備え、
略半円弧形の後部側，中腹部，前部側の順で並ぶシートクッションの着座時用，中段跳上げ時用，上段跳上げ時用の各切欠歯をクッションブラケットの後部側上縁辺に設けると共に、クッションブラケットの切欠歯と択一に噛合乃至は離脱可能な突起歯をラッチの後部寄り下辺に設けてなり、
チップアップロック開錠機構は、シートクッションの前側下部に配設した引張り操作用の作動レバーと、リクライニング用のリンクプレートの支軸と同軸でカムと一体に装着した旋回可能なチップアップ用のリンクプレートとを備え、
引張り操作用の作動レバーをチップアップ用のリンクプレートとケーブルワイヤで連結し、下部側を受け止めてカムの揺動を規制する係止段部と、係止段部の段部縁より少なくとも切欠歯と突起歯との噛合代分だけ深くてカムの揺動を許容する窪み部とをラッチの後部寄り上辺に設け、更に、ガイド穴の後穴縁と重なり合って誘導ピンと係合可能な中段穴縁と、ガイド穴より下方に延びて誘導ピンより当接逃げ可能な下段穴縁と、ガイド穴より上方に延びて誘導ピンを逃がし移動可能な上段穴縁とに連続する開口穴をチップアップ用のリンクプレートに設けてなり、
シート全体が着座姿勢にある時、シートバックを角度調整しまたはシートバックを前倒しさせてシート全体をダイブダウン収納するに、リクライニング用の作動レバーを引張り操作すると、リクライニング用のリンクプレートが制御穴の係合穴縁に位置する止着ピンで上方に旋回させると共に、チップアップ用のリンクプレートがガイド穴の後穴縁と重なり合う開口穴の中段穴縁に係合する誘導ピンで上方に旋回し、第１の制動リンクよりリンクバーを上方に引張り移動させてリクライニングロックを開錠し、且つ、ラッチの係止段部から窪み部に揺動移動するカムによりラッチをクッションブラケットから揺動離間させてチップアップロックを開錠可能とし、
シート全体が着座姿勢にある時、シートクッションをチップアップするに、チップアップ用の作動レバーを引張り操作すると、チップアップ用のリンクプレートが上方に旋回し、ラッチの係止段部から窪み部に揺動移動するカムによりラッチをクッションブラケットから揺動離間させてチップアップロックを開錠可能とし、一方、リクライニング用のリンクプレートが開口穴の下段穴縁による誘導ピンの当接逃げで上方に旋回せずにリクライニングロックを開錠不能に空振り可能とし、
シートクッションの上段跳上げ状態にあるシート全体をダイブダウン収納するに、リクライニング用の作動レバーを引張り操作すると、リクライニング用のリンクプレートが制御穴の係合穴縁に位置する止着ピンで上方に旋回し、制動リンクよりリンクバーをガイド穴の前穴縁に位置する誘導ピンで上方に引張り移動させてリクライニングロックを開錠可能とし、一方、チップアップ用のリンクプレートが開口穴の下段穴縁から上段穴縁に向う誘導ピンの当接逃げで上方に旋回せず、チップアップロックを開錠不能に空振り可能とし、
シートクッションが中段跳上げ状態にある時に、シートバックの背側上部に配設した作動レバーを引張り操作すると、制御穴のＬ字基部に位置するワイヤ止着ピンが逃げ穴縁に入り込んでリクライニング用のリンクプレートを上方に旋回させず、リクライニングロックを開錠させないでダイブダウン収納不能に空振り可能とし、
シートバックの角度調整後、または、シートクッションの中段位置，上段位置跳上げ後に、作動レバーの引張りを解除すると、機構全体が自重による復帰でリクライニングロック，チップアップロックを共に施錠可能とし、一方、シート全体のダイブダウン収納時に、機構全体が自重による復帰不能でリクライニングロック，チップアップロックを共に開錠状態に保てるリクライニングロック開錠機構，チップアップロック開錠機構を備え付けたことを特徴とする。
【００１３】
本願の請求項２に係る発明は、ラッチの支軸中心とカムの当接点とを結ぶ線を基準に、カムの支軸中心とカムの当接点とを結ぶ線で描く角度の鋭角に相応させてカムの角度向きを設定し、ラッチの突起歯とクッションブラケットの切欠歯との噛合状態を該カムの角度向きで保つチップアップロック機構を備えてなることを特徴とする。
【００１４】
本願の請求項３に係る発明は、下部側を半楕円状に形成したカムを備え、カムの下部側が当接する略J字状を呈する係止段部に加え、該係止段部の段部縁より切欠歯と突起歯との噛合代分より深くてカムの下部側と整合する略Ｕ字状を呈する窪み部をラッチの揺動許容兼掛上げ用としてラッチの後部側上辺に設けたチップアップロック開錠機構を備えてなることを特徴とする。
【００１５】
本願の請求項４に係る発明は、上端寄りをクッションブラケットの前寄り下部に支軸で枢着したスタンド脚部を備え、そのスタンド脚部をバネでシートクッションの下部側に対する収納方向に付勢支持すると共に、片ワイヤ端を支軸によるスタンド脚部の枢着位置よりも上端側に連結し、他ワイヤ端をシートバック側に連結し、通常時はスタンド脚部をバネに抗して立脚方向に引張り、シートバックの前倒し途上またはシートクッションの跳上げ途上でスタンド脚部の引張り力を強から弱に、シートバックの戻し途上またはシートクッションの戻し途上でスタンド脚部の引張り力を弱から強に変換可能なケーブルワイヤで引張支持してなることを特徴とする。
【発明の効果】
【００１６】
本願の請求項１に係る発明では、シート全体が着座姿勢にあってリクライニングロック機構，チップアップロック機構が施錠状態にある時は、第１の制動リンクの下端側がクッションブラケットのストッパピンで係止されているため、誘導ピンがリクライニング用のリンクプレートに設けられたガイド穴の後穴端に位置する。これにより、シート全体の着座位置が定められる。
【００１７】
その第１の制動リンクに対し、第２の制動リンクは下端側がクッションブラケットのストッパピンに近接位置するが、ストッパピンとの当接による力的作用を受けずに自重で下がっていることから、伸長バーが第２の制動リンクと屈曲状態にあり、ワイヤ止着ピンがリクライニング用のリンクプレートに設けられた制御穴の係合穴縁に位置する。
【００１８】
そのシート全体が着座姿勢にある時に、シートバックの背側上部に配設した（以下、「バック背側上部」という。）作動レバーを引張り操作すると、リクライニング用のリンクプレートが制御穴の係合穴縁に位置するワイヤ止着ピンで引っ張られて支軸を支点に上方に旋回する。これに伴っては、誘導ピンがガイド穴の後穴端に位置すると共に、チップアップ用のリンクプレートに設けられた開口穴の中段穴縁と係合しているため、チップアップ用のリンクプレートも支軸を支点に上方に旋回する。
【００１９】
リクライニング用のリンクプレートが上方に揺動すると、誘導ピンがガイド穴で上方に引き上げられ、リクライニングロック機構の作動軸と下端側で連結された屈伸可能なリンクバーが上方に引き上げられるため、リクライニングロック機構が作動軸の回動で開錠する。これと共に、上述したようにチップアップ用のリンクプレートも上方に旋回することから、カムも一体に揺動し、カムの下部側がラッチの係止段部より窪み部に移動し、ラッチの突起歯がクッションブラケットの切欠歯より噛合状態を解除されるため、チップアップロック機構も開錠する。
【００２０】
リクライニングロック機構，チップアップロック機構の開錠によっては、シートバックを角度調整するようにできる。そのシートバックの角度調整後に、リクライニング用の作動レバーの引張りを解除すると、リクライニング用のリンクプレート，制動リンク，リンクバーの機構全体、並びに、チップアップ用のリンクプレート，カム，ラッチの機構全体が自重で下り復帰することから、両機構を施錠できてシート全体を着座姿勢に保てる。
【００２１】
また、両機構の開錠により、シートバックを前倒しさせてシート全体を車体フロアの下段側にダイブダウン収納するようにもできる。そのダイブダウン収納状態では、リクライニング用のリンクプレート，制動リンク，リンクバーの機構全体、並びに、チップアップ用のリンクプレート，カム，ラッチの機構全体が自重で下り復帰できないことから、リクライニングロック，チップアップロックの両機構は開錠状態に保たれる。
【００２２】
そのシート全体のダイブダウン収納にあたっては、作業者がバック背側上部の作動レバーを手で持ってシート全体をある程度まで前倒ししたならば、クッション前側下部の作動レバーに持ち代え、シート全体を車体フロアの下段部まで持ち下げればよい。
【００２３】
ダイブダウン収納したシート全体を着座姿勢に戻す時には、上述したようにリクライニングロック機構，チップアップロック機構が開錠状態に保たれているから、作業者がバック背側上部の作動レバーを手で持ってシートバックを持ち上げれば、シートバックからシートクッションまでを着座姿勢に容易に戻せる。
【００２４】
上述したと同様に、シート全体の着座姿勢からシートクッションの前側下部に配設された（以下、「クッション前側下部」という。）作動レバーを引張り操作すると、チップアップ用のリンクプレートがワイヤケーブルで引っ張られて支軸を支点に上方に旋回すると共に、カムも一体に揺動するため、カムの下部側がラッチの係止段部より窪み部に移動し、ラッチの突起歯がクッションブラケットの切欠歯より噛合状態を解除する。これにより、クッションブラケットの枢軸を支点としてシートクッションを中段位置，上段位置のいずれにも跳ね上げられる。
【００２５】
そのチップアップロックの開錠操作時には、上方に旋回するチップアップ用のリンクプレートが開口穴の下段穴縁で誘導ピンより当接逃げし、誘導ピンが上方に引き上げられず、リクライニング用のリンクプレートが上方に旋回しないため、リクライニングロック機構は開錠しない。
【００２６】
シートクッションを中段位置，上段位置のいずれかに跳ね上げてクッション前側下部の作動レバーから引張りを解除すると、チップアップ用のリンクプレート，カム，ラッチの機構全体が自重で下り復帰し、カムの下部側がラッチの係止段部で受け止められることから、ラッチの突起歯がクッションブラケットの切欠歯と噛合する。これにより、シートクッションはチップアップロック機構の施錠で跳上げ姿勢に保たれる。
【００２７】
それとは逆に、シートクッションを跳上げ状態から着座戻しする時はクッション前側下部の作動レバーを引張り操作すれば、上述したと同様にチップアップロック機構を開錠できるため、シートクッションを着座位置まで前倒しさせて着座戻しすることができる。
【００２８】
シートクッションが上段位置で跳上げ状態に施錠されている時には、クッションブラケットのストッパピンが第１の制動リンク，第２の制動リンクのいずれの下部側より離れ、第１の制動リンク，第２の制動リンクが自重で下がる。これにより、誘導ピンがリクライニング用のリンクプレートに設けたガイド穴の前穴端に移動する。一方、ワイヤ止着ピンはリクライニング用のリンクプレートに設けた制御穴の係合穴縁に移動する。
【００２９】
そのシートクッションの上段跳上げ状態から、シートバックと共に前倒しさせてダイブダウン収納するようバック背側上部の作動レバーを引張り操作すると、リクライニング用のリンクプレートが制御穴の係合穴縁に位置するワイヤ止着ピンで引っ張られて上方に旋回するため、上述したようにリクライニングロック機構を開錠できる。
【００３０】
そのリクライニングロック機構の開錠操作に伴っては、誘導ピンがリクライニング用のリンクプレートに設けたガイド穴の前穴端に位置すると共に、チップアップ用のリンクプレートに設けられた開口穴の当接逃がし可能な上段穴縁に移動することから、チップアップ用のリンクプレートが旋回せず、チップアップロック機構が施錠状態に保たれる。これにより、シートクッションが倒れ出ずにシートバックと一体に前倒しさせてシート全体をダイブダウン収納するようにできる。
【００３１】
そのシート全体のダイブダウン収納にあたっては、上述したと同様に作業員がバック背側上部の作動レバーを手で持ってシート全体をある程度まで前倒ししたならば、クッション前側下部の作動レバーに持ち代え、車体フロアの下段部まで持ち下げればよい。これにより、リクライニングロック機構と共に、チップアップロック機構も開錠させてシート全体をダイブダウン収納するようにできる。
【００３２】
シートクッションが中段位置の跳上げ状態にある時には、第２の制動リンクがストッパピンで蹴り上げられることから、伸長バーが伸び、ワイヤ止着ピンが制御穴の折曲り基部まで移動している。そのシートクッションの中段跳上げ状態で、バック背側上部作動レバーが誤り操作されても、ワイヤ止着ピンが制御穴の折曲り基部から上方に伸びる逃げ穴縁に移動するため、リクライニングロックを開錠しないよう空振り操作となる。これにより、シートクッションが前倒れしないようリクライニングロックを施錠状態に保てる。
【００３３】
本願の請求項２に係る発明では、カムの角度向きがラッチの支軸中心とカムの当接点とを結ぶ線を基準に、カムの支軸中心とカムの当接点とを結ぶ線で描く鋭角に設定されていることから、カムがラッチの係止段部に対するつかい棒的作用を発揮し、ラッチが揺動不能にカムで押え込まれるため、シートクッションを跳ね上げても、ラッチの突起歯とクッションブラケットの切欠歯との噛合状態を確実に保てる。
【００３４】
本願の請求項３に係る発明では、カムの半楕円状に形成した下部側が当接する略J字状を呈する係止段部に加え、係止段部の段部縁より切欠歯と突起歯との噛合代分より深くてカムの下部側と整合する略Ｕ字状を呈する窪み部をラッチの後部側上辺に設けることから、レバーの引張り操作によりカムをラッチの窪み部に移動すると、カムの下部側がラッチの窪み部と嵌り合い、カムがラッチを大幅に掛け上げるため、レバーの引張り操作によりラッチの突起歯をクッションブラケットの切欠歯との噛合状態から確実に解除できる。
【００３５】
本発明の請求項４に係る発明では、スタンド脚部をバネでシートクッションの下部側に対する収納方向に付勢支持すると共に、片ワイヤ端を支軸によるスタンド脚部の枢着位置よりも上端側に連結し、他ワイヤ端をシートバック側に連結する引張り力の強弱変換可能なケーブルワイヤで引張支持することから、スタンド脚部をシートクッションの跳上げまたはシート全体のダイブダウンに連動させて収納可能で、シートクッションまたはシート全体の着座戻しに連動させて立脚出し可能に備え付けられる。
【発明を実施するための最良の形態】
【００３６】
図示実施の形態は、図１で示すようにシートバック１のサイドフレームとなるバックブラケットの下部側と車体フロアＦの上段側ｆ１に立設したベースブラケット２の間に備えるリクライニングロック機構３により、シートバック１を車体フロアＦの上段側ｆ１に立付け支持するよう構成されている。このリクライニングロック機構としては、作動軸４の回動で開錠乃至は回動戻りで施錠可能な公知のリクライニングロック機構（例えば、特開２００４−１７３９２２参照）を備え付けられる。
【００３７】
シートクッション５は、サイドフレームとなるクッションブラケットの後部側を枢軸５０でバックブラケットの下部寄りに枢着すると共に、上端寄りをクッションブラケットの前寄り下部に支軸６ａで枢着したスタンド脚部６を備え、スタンド脚部６の下端部を車体フロアＦの下段側ｆ２で後部寄りに設置した受け座６ｂに係合させて斜めに立脚することから着座姿勢に保つよう構成されている。
【００３８】
その自動車用リクライニングシートにおいては、リクライニングロック機構３の開錠機構がシートバック１の背側上部に配設された引張り用の作動レバー７で操作可能に組み付けられている。この引張り操作用の作動レバー７によると、乗員が手を掛けてリクライニングロック開錠機構を操作すると共に、シートバック自体を持てるから、シートバックの角度調整乃至は前倒し操作をワンモーションで行える。
【００３９】
また、後述するようにチップアップロック機構も組み付けられ、そのチップアップロック機構の開錠機構がシートクッション５の前側下部に配設された引張り用の作動レバー８で操作可能に組み付けられている。この作動レバー８によっても、乗員が手を掛けてチップアップロックの開錠機構を操作すると共に、シートクッション自体を持てるから、シートクッション５の跳上げ操作をワンモーションで行える。
【００４０】
リクライニングロック開錠機構，チップアップロック機構，チップアップロック開錠機構は、いずれも、図２で示すように枢軸５０を中心として後部側の上縁辺を略半円弧形に形成し、枢軸５０の上方で板面より側方に突出するストッパピン５１を設けたクッションブラケット５’をベースに組み付けられている。
【００４１】
そのクッションブラケット５’には、略半円弧形の後部側，中腹部，前部側の順で並ぶシートクッションの着座時用，中段跳上げ時用，上段跳上げ時用の各切欠歯５２ａ〜５２ｃがチップアップロック機構を構成するよう後部側の上縁辺に設けられている。着座時用の切欠歯５２ａは、後述するラッチの突起歯をシートクッションの着座戻り位置で受け入れると共に、シートクッションを後方に角度調整可能な逃げ代Ｘを有する切欠で形成されている。
【００４２】
図３並びに図４を主に参照し、各機構の構成を説明すると、リクライニングロック開錠機構は二本繋ぎの屈伸可能なリンクバー７０と、リンクバー７０の上端側に装着する第１の制動リンク７１と、第１の制動リンク７１の上端側より側方に突出する誘導ピン７２と、リクライニング用のリンクプレート７３と、リンクプレート７３の板面に装着する第２の制動リンク７４と、第２の制動リンク７４の上端側より屈伸可能に伸びる伸長バー７５と、伸長バー７５の上端側より側方に突出するワイヤ止着ピン７６とを備えて構成されている。
【００４３】
リンクバー７０は、下部バー７０ａの上端側と上部バー７０ｂの下端側とを支軸７０ｃで軸承することから屈伸可能に連結されている。このリンクバー７０のうち、下部バー７０ａは下端側がリクライニングロック機構３の作動軸４に連結されている。上部バー７０ｂは、第１の制動リンク７１に向けて上方に延在するよう配置されている。
【００４４】
第１の制動リンク７１は、図５で示すように中腹部を上部バー７０ｂの上端側に支軸７０ｄで軸承し、誘導ピン７２の突出する上部側を上方に向け、下部側をクッションブラケット５’のストッパピン５１に向けて揺動可能に装着されている。
【００４５】
リクライニング用のリンクプレート７３は、図６で示すように下部側を重点とした略三角形状を呈し、後部側をバックブラケット１’の板面に支軸７７で軸承することから旋回可能に装着されている。そのリンクプレート７３の板面には、第１の制動リンク７１の支軸７０ｄを中心とする円弧状のガイド穴７８が誘導ピン７２を挿通するよう設けられている。また、ガイド穴７８の前穴端より下方に位置する係合穴縁７９ａから折曲り基部を経て上方に伸びる逃げ穴縁７９ｂと連続する略Ｌ字状の制御穴７９がワイヤ止着ピン７６を挿通するよう設けられている。
【００４６】
第２の制動リンク７４は、中腹部をリンクプレート７３の板面に支軸７４ａで装着し、伸長バー７５を上部側に支軸７４ｂで軸承連結し、下部側を第１の制動リンク７１と逆側よりストッパピン５１と当接可能に下方に向けて配置されている。この構成中、伸長バー７５の上端側より側方に突出するワイヤ止着ピン７６には作動レバー７が金属ワイヤ７ａをケーブルチューブ７ｂに挿通したワイヤケーブルで連結されている。
【００４７】
そのリクライニングロック開錠機構は、作動レバー７の引張り操作により、リンクプレート７３，第１の制動リンク７１，リンクバー７０の機構全体を制御穴７９の係合穴縁７９ａに係合するワイヤ止着ピン７６で引き上げて作動軸４を回動することによりリクライニングロック機構３を開錠する。また、作動レバー７の引張りを解除すると、機構全体が自重で降下することから、作動軸４を回動戻しさせてリクライニングロック機構３を施錠するよう組み付けられている。
【００４８】
チップアップロック機構は、クッションブラケット５’の略半円弧形を呈する上縁辺と後部側を相対位置し、前部側をバックブラケット１’の板面に支軸８０ａで装着した揺動可能なラッチ８０と、リクライニング用のリンクプレート７３を軸承する支軸７７と同軸上に装着した揺動可能なラッチ係止用のカム８１とを備えて構成されている。
【００４９】
ラッチ８０には、図７で示すように上述したシートクッションの着座時用，中段跳上げ時用，上段跳上げ時用の切欠歯５２ａ〜５２ｃと択一に噛合乃至は離脱可能な突起歯８０ｂが後部側の下辺に設けられている。突起歯８０ｂは、跳上げ位置用の切欠歯５２ｂ，５２ｃと確実な噛合いを保てるよう前後二つの突起で形成されている。
【００５０】
カム８１は、リクライニング用のリンクプレート７３をバックブラケット１’の板面に軸承する支軸７７と同じ支軸により上部側を軸支すると共に、ラッチ８０を係止するよう下部側をラッチ８０の後部側上辺に向けて揺動可能に取り付けられている。
【００５１】
ラッチ８０には、カム８１の下部側を受け止める係止段部８０ｃが後部側の上辺に設けられている。そのカム８１の下部側がラッチ８０の係止段部８０ｃで受け止められることから、カム８１がつかい棒としてラッチ８０を押え込む。この
ため、ラッチ８０の突起歯８０ｂをクッションブラケット５’の切欠歯５２ａ〜５２ｃと確実に噛合状態に保てる。
【００５２】
そのカム８１の角度向きはラッチ８０の係止段部８０ｃとの関係から、図８で示すようにラッチ８０の支軸中心Ｏ１とカム８１の当接点Ｐとを結ぶ線Ｌ１を基準に、カム８１の支軸中心Ｏ２とカム８１の当接点Ｐとを結ぶ線Ｌ２で描かれる角度θが鋭角に設定されている。この構成中、基準線Ｌ１は係止段部８０ｃの底面を突起歯８０ｂに近づかせて形成することから、ラッチ８０の支軸中心Ｏ１より後方に向って下り勾配の斜線となるよう設定するとよい。
【００５３】
カム８１としては、下部側を半楕円形に形成したものが備え付けられている。そのカム８１の下部形状から、ラッチ８０の係止段部８０ｃはカム８１の下部側と整合する略J字状を呈するよう形成されている。この略Ｊ字の底面は、カム８１の下部側を少なくとも半分以上受けられる弯曲面に形成することから、カム８１の下部側をラッチ８０の係止段部８０ｃで安定よく受け止められる。
【００５４】
チップアップロック開錠機構は、カム８１の揺動を許容する窪み部８０ｄ（図７参照）をラッチ８０の後部側上辺に設けると共に、リクライニング用のリンクプレート７３をバックブラケット１’の板面に軸承する支軸７７と同じ支軸により、チップアップ用のリンクプレート８２をカム８１と一体に旋回可能にバックブラケット１’に装着することから構成されている。チップアップ用のリンクプレート８２には、作動レバー８が金属ワイヤ８ａをケーブルチューブ８ｂに挿通したワイヤケーブルで直接連結されている。
【００５５】
ラッチ８０の窪み部８０ｄは、突起歯８０ｂがクッションブラケット５’の切欠歯５２ａ〜５２ｃから外れる逃げ空間を保つよう係止段部８０ｃの段部縁より少なくとも各歯５２ａ〜５２ｃ、８０ｂの噛合代分だけ深く窪ませて設ければよい。図示実施の形態では、ラッチ８０の窪み部８０ｄが係止段部８０ｃの段部縁より切欠歯５２ａ〜５２ｃと突起歯８０ｂとの噛合代分より深くてカム８１の下部側と整合する略Ｕ字状を呈するよう形成されている。
【００５６】
そのラッチ８０の窪み部８０ｄは、カム８１がラッチ８０の係止段部８０ｃより外れて揺動することを許容すると共に、カム８１の下部側が嵌り込んでラッチ８０をクッションブラケット５’の後部側から上方に掛上げ揺動可能に形成されている。このカム８１の揺動により、ラッチ８０の突起歯８０ｂが切欠歯５２ａ〜５２ｃとの噛合状態から確実に解除するまでラッチ８０を引き上げられる。なお、ラッチ８０はクッションブラケット５’の枢軸５０とラッチ８０の支軸８０ａとで保持した押えプレート９０（図４参照）で安定よく揺動可能に支持されている。
【００５７】
リクライニング用のリンクプレート７３と、チップアップ用のリンクプレート８２とは、リクライニング用のリンクプレート７３を軸承する支軸７７の同軸上で個別に旋回可能に取り付けられている。これは、カム８１，チップアップ用のリンクプレート８２を支軸７７の同軸上に固定すると共に、支軸７７をバックブラケット５’の板面で挿通保持すれば、チップアップ用のリンクプレート８２をカム８１とを一体に旋回可能に取り付けられる。
【００５８】
チップアップ用のリンクプレート８２には、開口穴８３が板面を刳り抜いて設けられている。その開口穴８３は、図９で示す如くリクライニング用のリンクプレート（図示せず）に設けたガイド穴７８の後穴縁と重なり合って誘導ピン７２と係合可能な中段穴縁８３ａと、ガイド穴７８の後穴端より下方に向って誘導ピン７２より当接逃げ可能な下段穴縁８３ｂと、ガイド穴７８の前穴端より上方に伸びて誘導ピン７２を逃がし移動可能な上段穴縁８３ｃとに連続するよう形成されている。
【００５９】
そのチップアップロック開錠機構は、バック背側上部の作動レバー８の引張り操作により、リンクプレート８２を上方に旋回させると共に、カム８１を一体に揺動し、ラッチ８０をカム８１でクッションブラケット５’より引き上げることからチップアップロック機構を開錠する。また、作動レバー８の引張りを解除すると、リンクプレート８２，カム８１，ラッチ８０の機構全体が自重で降下することから、チップアップロック機構を施錠するよう組み付けられている。
【００６０】
シートクッション５のスタンド脚部６は、図１０で示すように片バネ端を支軸６ａによる枢着位置よりも上端側に連結し、他バネ端をクッションブラケット（図示せず）の前方側に連結するコイルバネまたは捩りコイルバネでなる引張バネ１０により、シートクッションの下部を収納方向として引張支持されている。このスタンド脚部６は、片ワイヤ端１１ａを支軸６ａによる枢着位置よりも上端側に連結し、シートクッション側の後方に伸びるワイヤケーブル１１でシートバック側と連結されている。
【００６１】
シートバック側では、図１１ａで示すように他ワイヤ端１１ｂがバックフレームの適宜個所に立設する掛止め片１２で挿通支持されている。このシートバック側のワイヤ端１１ｂは球状のエンドストップとして形成し、ワイヤ軸線を掛止め片１２の板面に挿通させて掛止め片１２より突出し方向にズレ動き可能に取り付けられている。なお、ケーブルチューブ１１ｃとしては全長がコンペセータで伸び縮み可能なものが組み付けられている。
【００６２】
そのワイヤケーブル１１は、図１１ａで示すシートクッションの着座状態にある時のワイヤ端１２ｂを起点に、図１１ｂで示すシートクッションの跳上げ途上直前位置まで引張バネ１０に抗してスタンド脚部６を立脚方向に引張り、一方、図１１ｃで示すシートクッションの跳上げ途上から上方の跳上げ位置まででスタンド脚部６の引張りを解除するよう引張り力を強弱変換可能に配線されている。
【００６３】
そのケーブルワイヤ１１により、スタンド脚部６はシートクッションの跳上げまたはシート全体のダイブダウンに連動させてシークッションの下部側に収納可能で、一方、シートクッションまたはシート全体の着座戻しに連動させて車体フロアＦの下段側ｆ２に設置した受け座６ｂと係合するよう立脚出し可能に備え付けられている。
【００６４】
このように構成するチップアップ・ダイブダウン式自動車用リクライニングシートでは、シート全体が着座姿勢（図１参照）にあり、リクライニングロック機構，チップアップロック機構が施錠状態（図３参照）にある時は、第１の制動リンク７１の下端側がクッションブラケット５’のストッパピン５１で係止されているため、誘導ピン７２がリクライニング用のリンクプレート７３に設けられたガイド穴７８の後穴端に位置する。これにより、シート全体の着座位置が定められている。
【００６５】
その第１の制動リンク７１に対し、第２の制動リンク７４は下端側がクッションブラケット５’のストッパピン５１に近接位置するが、ストッパピン５１との当接による力的作用を受けずに自重で下がっている。このため、伸長バー７５が第２の制動リンク７４と屈曲状態にあり、ワイヤ止着ピン７６がリクライニング用のリンクプレート７３に設けられた制御穴７９の係合穴縁７９ａに位置する。
【００６６】
そのシート全体が着座姿勢にある時に、リクライニングロック機構を開錠するに、作業員がバック背部上側の作動レバー７を引張り操作すると、図１２で示すようにリワイヤ止着ピン７６が制御穴７９の係合穴縁７９ａに位置するため、クライニング用のリンクプレート７３がワイヤ止着ピン７６で引っ張られる。また、誘導ピン７２がガイド穴７８の後穴端に位置すると共に、開口穴８３の中段穴縁８３ａと係合していることから、チップアップ用のリンクプレート８２も誘導ピン７２で引っ張られる。
【００６７】
リクライニング用のリンクプレート７３が支軸７７を支点に上方に旋回すると、図１３で示すように誘導ピン７２がガイド穴７８で上方に引き上げられ、リクライニングロック機構の作動軸４と下端側で連結された屈伸可能なリンクバー７０が第１の制動リンク７１を介して上方に引き上げられる。これにより、リクライニングロック機構が開錠する。
【００６８】
また、リクライニング用のリンクプレート７３が上方に旋回すると、チップアップ用のリンクプレート８２も上方に旋回することから、カム８１が一体に揺動し、カム８１の下部側がラッチ８０の係止段部８０ｃより窪み部８０ｄに移動し、ラッチ８０がカム８１で上方に掛け上げられる。これにより、ラッチ８０の突起歯８０ｂがクッションブラケット５’の切欠歯５２ａより噛合解除されるため、チップアップロック機構も開錠する。
【００６９】
そのカム８１によるラッチ８０の掛上げは、図１４で示すようにラッチ８０の窪み部８０ｄが係止段部８０ｃの段部縁より切欠歯５２ａとの噛合代分より深くて設けることから、カム８１がラッチ８０をクッションブラケット５’の上縁辺より上方に大きく揺動するよう行なわれる。このため、ラッチ８０の突起歯８０ｂをクッションブラケット５’の切欠歯５２ａとの噛合状態から確実に解除できる。
【００７０】
そのリクライニングロック機構，チップアップロック機構の開錠により、図１５で示すようにシートバック１を逃げ代Ｘ（図２参照）だけ後倒しに角度調整するようにできる。このシートバック１の角度調整後に、バック背側上部の作動レバー７の引張りを解除すると、リクライニング用のリンクプレート７３，第１の制動リンク７１，リンクバー７０の機構全体、並びに、チップアップ用のリンクプレート８２，カム８１，ラッチ８０の機構全体が自重で下り復帰し、リクライニングロック機構，チップアップロック機構を施錠できることから、シート全体を着座姿勢に保てる。
【００７１】
また、リクライニングロック機構，チップアップロック機構の開錠により、図１６ａ，図１６ｂで示すようにシートバック１を前倒しさせてシート全体を車体フロアＦの下段側ｆ２にダイブダウン収納するようにもできる。この場合には、図１７ａ，図１７ｂで示すようにリクライニング用のリンクプレート７３，第１の制動リンク７１，リンクバー７０の機構全体、並びに、チップアップ用のリンクプレート８２，カム８１，ラッチ８０の機構全体が自重で下り復帰できないことから、リクライニングロック機構，チップアップロック機構は開錠状態に保たれる。
【００７２】
そのシート全体のダイブダウン収納にあたっては、作業者がバック背側上部の作動レバー７を手で持ってシート全体をある程度まで前倒ししたならば、クッション前側下部の作動レバー８に持ち代え、車体フロアＦの下段部ｆ２まで持ち下げるようにするとよい。
【００７３】
ダイブダウン収納したシート全体を着座姿勢に戻す時には、リクライニングロック機構，チップアップロック機構が開錠状態にあることから、作業者が背側上部の作動レバー７を手で持ってシートバック１を持ち上げれば、図１８ａ，図１８ｂで示すようにシートバック１からシートクッション５を着座姿勢（図１参照）まで容易に戻せる。
【００７４】
上述したと同様に、シート全体の着座姿勢からシートクッション１をチップアップする時は、図１９で示すようにクッション前部下側の作動レバー８を引張り操作すると、上述したと同様にチップアップ用のリンクプレート８２が支軸７７を支点に上方に揺動すると共に、カム８１も一体に揺動し、カム８１の下部側がラッチ８０の窪み部８０ｄと嵌り合ってラッチ８０を掛け上げるため、チップアップロック機構が開錠する（図１４参照）。
【００７５】
そのチップアップロック開錠機構の操作時には、図２０で示すようにチップアップ用のリンクプレート８２が誘導ピン７２と開口穴８３の下段穴縁８３ｂで当接逃げする。このため、誘導ピン７２がチップアップ用のリンクプレート８２で上方に引き上げられないから、リクライニングロック機構は開錠しない。
【００７６】
そのチップアップロックの開錠状態から、作業員が手をクッション前側下部の作動レバー８に掛けたままでシートクッション５を前部側より上方に持ち上げると、ラッチ８０の突起歯８０ｂがクッションブラケット５’の切欠歯５２ａより離脱状態に保たれるため、クッションブラケット５’の枢軸５０を支点とし、シートクッション５を着座位置より中段位置（図２０参照）、または、図２１で示すようにシートクッション５をシートバック１の相対側の上段位置まで跳ね上げられる。
【００７７】
シートクッション５の跳上げ状態から、クッション前側下部の作動レバー８から引張りを解除すると、図２２で示す（上段跳上げ）ようにチップアップ用のリンクプレート８２，カム８１，ラッチ８０の機構全体が自重で下り復帰し、カム８１の下部側がラッチ８０の係止段部８０ｃに受け止められると共に、ラッチ８０の突起歯８０ｂがクッションブラケット５’の切欠歯５２ｃと噛合状態に保たれる。これにより、シートクッション５はチップアップロック機構の施錠で上段跳上げ姿勢に保たれる。
【００７８】
シートクッション５を中段または上段跳上げ状態から着座戻しする時は、上述したと同様にクッション前側下部の作動レバー８を引張り操作すれば、チップアップロック機構を開錠できるため、シートクッション５を着座位置まで前倒しすることから戻せる。
【００７９】
シートクッション５が上段位置で跳上げ状態に施錠されている時（図２２参照）には、クッションブラケット５’のストッパピン５１が第１の制動リンク７１，第２の制動リンク７４のいずれの下部側より離れ、第１の制動リンク７1，第２の制動リンク７４が自重で下がる。これにより、第１の制動リンク７１の誘導ピン７２はリクライニング用のリンクプレート７３に設けたガイド穴７８の前端側に移動する。一方、ワイヤ止着ピン７６は伸長バー７５の屈曲戻りで制御穴７９の係合穴縁７９ａに移動する。
【００８０】
そのシートクッション５の上段跳上げ状態から、シートバック１と共に前倒しさせてダイブダウン収納するようクッション背側上部の作動レバー７を引張り操作すると、図２３で示すようにリクライニング用のリンクプレート７３が上方に揺動し、ガイド穴７８の前端側に位置する第１の制動リンク７１の誘導ピン７２がリクライニング用のリンクプレート７３で上方に引き上げられるため、上述したようにリクライニングロック機構を開錠できる。
【００８１】
そのリクライニングロック機構の開錠操作に伴っては、誘導ピン７２がリクライニング用のリンクプレート７３に設けたガイド穴７８の前穴端に位置すると共に、チップアップ用のリンクプレート８２に設けられた開口穴８３の当接逃がし可能な上段穴縁８３ｃに移動することから、チップアップ用のリンクプレート８２が旋回せず、チップアップロック機構が施錠状態に保たれる。
【００８２】
そのチップアップロック機構が施錠状態に保たれることから、図２４ａで示すようにシートクッション５が倒れ出さないでシートバック１と一体に前倒しでき、図２４ｂで示すようにチップアップロック機構が施錠状態に保ったままで、シート全体をダイブダウン収納するようにできる。
【００８３】
そのシート全体のダイブダウン収納にあたっては、作業者が上述したと同様にリクライニング用の作動レバー７を手で持ってシート全体をある程度まで前倒ししたならば、チップアップ用の作動レバー８に持ち代え、車体フロアＦの下段部ｆ２まで持ち下げればよい。これにより、チップアップロック機構も開錠させてシート全体をダイブダウン収納するようにできる。
【００８４】
上述したようにリクライニングロック機構を作動レバー７の引張り操作で開錠しても、チップアップロック機構が施錠状態に保たれるため、図２５で示すようにシート全体をシートクッション５の上段跳上げ状態で遊び代Ｘ（図２参照）だけ後倒しに角度調整することもできる。
【００８５】
シートクッション５が中段位置で跳上げ状態に施錠されている時には、図２６で示すように第２の制動リンク７４がストッパピン５１で蹴り上げられている。これに伴って、伸長バー７５が第２の制動リンク７４より伸び、ワイヤ止着ピン７６が制御穴７９の屈曲基部まで移動している。
【００８６】
そのシートクッション５が中段跳上げ状態で、バック背側上部の作動レバー７が誤り操作されても、図２７ａで示すようにワイヤ止着ピン７６が制御穴７９の屈曲基部から逃げ穴縁７９ｂ（図６参照）に移動するところから、リクライニングロックを開錠しないよう空振り操作となる。これにより、図２７ｂで示すようにシートクッション５が前倒れしないようリクライニングロックを施錠状態に保てる。
【００８７】
上述したシート全体の姿勢変え中には、またはシート全体のダイブダウンまたはシートクッション５の跳上げに連動させてスタンド脚部６をシートクッション５の下部側に収納できる。また、シート全体の跳上げ状態から着座戻しまたはシートクッション５の着座戻しに連動させてスタンド脚部６を車体フロアＦの下部側ｆ２に立脚出しさせることができる。
【００８８】
上述した各機構は片側のクッションブラケット，バックブラケットに備えるものに基づいて説明したが、各機構は両側のクッションブラケット，バックブラケットに夫々備え付けられる。両側の各機構は、リクライニング用の作動レバー，チップアップ用の作動レバーから分岐する各二本のワイヤケーブルで同期させて開錠動きさせるよう構成できる。
【図面の簡単な説明】
【００８９】
【図１】本発明に係るチップアップ・ダイブダウン式自動車用リクライニングシートを示す側面図である。
【図２】図１の自動車用リクライニングシートに備えられるクッションブラケットの部分側面図である。
【図３】図１の自動車用リクライニングシートに備えられるリクライニングロック機構、リクライニングロック開錠機構、チップアップロック機構、チップアップロック開錠機構を示す側面図である。
【図４】図３の各機構を示す正面図である。
【図５】図３のリクライニングロック開錠機構に組み付けられるリンクバー，第１の制動リンク，誘導ピンを示す側面図である。
【図６】図３のリクライニングロック開錠機構に組み付けられるリクライニング用のリンクプレート，第２の制動リンク，伸長バー，ワイヤ止着ピンを示す側面図である。
【図７】図３のチップアップロック機構に組み付けられるラッチを示す側面図である。
【図８】図３のチップアップロック機構による施錠状態を原理的に示す説明図である。
【図９】図３のチップアップロック開錠機構に組み付けられるリンクプレートを示す側面図である。
【図１０】図１の自動車用リクライニングシートに備えられるスタンド脚部を示す側面図である。
【図１１ａ】図１０のワイヤケーブルによるスタンド脚部の引張状態をシートバック側で示す説明図である。
【図１１ｂ】図１０のワイヤケーブルによるスタンド脚部の引張解除途上状態をシートバック側で示す説明図である。
【図１１ｃ】図１０のワイヤケーブルによるスタンド脚部の引張解除状態をシートバック側で示す説明図である。
【図１２】図３のリクライニングロック機構の開錠操作状態を示す説明図である。
【図１３】図１２の操作によるリクライニングロック機構，チップアップロック機構の開錠状態を示す説明図である。
【図１４】図１２の操作によるチップアップロック機構の開錠状態を示す説明図である。
【図１５】図１の自動車用リクライニングシートをシートバックの後倒しによる角度調整状態で示す側面図である。
【図１６ａ】図１の自動車用リクライニングシートをダイブダウン収納途上で示す側面図である。
【図１６ｂ】図１の自動車用リクライニングシートをダイブダウン収納状態で示す側面図である。
【図１７ａ】図１６ａのダイブダウン収納途上にある自動車用リクライニングシートのリクライニングロック開錠機構，チップアップロック開錠機構を示す説明図である。
【図１７ｂ】図１６ｂのダイブダウン収納状態にある自動車用リクライニングシートのリクライニングロック開錠機構，チップアップロック開錠機構を示す説明図である。
【図１８ａ】図１６ｂのダイブダウン収納状態にある自動車用リクライニングシートの着座戻し初期手順を示す説明図である。
【図１８ｂ】図１８ａの自動車用リクライニングシートを着座戻し途上で示す説明図である。
【図１９】図３のチップアップロック機構の開錠操作状態を示す説明図である。
【図２０】図１９のチップアップロック機構の開錠によるシートクッションの跳上げ途上状態を示す説明図である。
【図２１】図２０のシートクッションの上段跳上げ状態を示す説明図である。
【図２２】図２１のチップアップロック機構の施錠戻り状態を示す説明図である。
【図２３】上段跳上げ状態のシート全体をダイブダウンさせる際のリクライニングロック機構の開錠操作状態を示す説明図である。
【図２４ａ】図２３の操作によるシート全体のダイブダウン途上状態を示す側面図である。
【図２４ｂ】図２３の操作によるシート全体のダイブダウン最終直前にあたるリクライニングロック機構の開錠状態を示す説明図である。
【図２５】図２１のシートクッションを跳ね上げたシート全体の後倒しによる角度調整状態で示す側面図である。
【図２６】シートクッションの中段跳上げ状態にあたるリクライニングロック機構、リクライニングロック開錠機構、チップアップロック機構、チップアップロック開錠機構を示す側面図である。
【図２７ａ】図２６のリクライニングロック機構を誤操作状態で示す説明図である。
【図２７ｂ】図２７ａの誤操作によるシート全体を示す側面図である。
【符号の説明】
【００９０】
１          シートバック
１’        バックブラケット
２          ベースブラケット
３          リクライニングロック機構
４          リクライニングロック機構の作動軸
５          シートクッション
５’        クッションブラケット
５０        クッションブラケットの枢軸
５１        ストッパピン
５２ａ〜５２ｃ    切欠歯
６          スタンド脚部
７          リクライニング用の作動レバー
７ａ，７ｂ    リクライニング用のワイヤケーブル
７０        リンクバー
７１        第１の制動リンク
７２        誘導ピン
７３        リクライニング用のリンクプレート
７４        第２の制動リンク
７５        伸長バー
７６        ワイヤ止着ピン
７７        リクライニング用リンクプレートの支軸
７８        ガイド穴
７９        制御穴
８          チップアップ用の作動レバー
８ａ，８ｂ    チップアップ用のワイヤケーブル
８０        ラッチ
８０ａ      ラッチの支軸
８０ｂ      ラッチの突起歯
８０ｃ      ラッチの係止段部
８０ｄ      ラッチの窪み部
８１        カム
８２        チップアップ用のリンクプレート
１０        スタンド脚部の引張バネ
１１        スタンド脚部のワイヤケーブル
Ｏ１          ラッチの支軸中心
Ｏ２          カムの支軸中心
Ｐ            カムの当接点
Ｌ１          ラッチの支軸中心とカムの当接点とを結ぶ線
Ｌ２          カムの支軸中心とカムの当接点とを結ぶ線
【図１】
2007182153.tif 000003
【図２】
2007182153.tif 000004
【図３】
2007182153.tif 000005
【図４】
2007182153.tif 000006
【図５】
2007182153.tif 000007
【図６】
2007182153.tif 000008
【図７】
2007182153.tif 000009
【図８】
2007182153.tif 000010
【図９】
2007182153.tif 000011
【図１０】
2007182153.tif 000012
【図１１ａ】
2007182153.tif 000013
【図１１ｂ】
2007182153.tif 000014
【図１１ｃ】
2007182153.tif 000015
【図１２】
2007182153.tif 000016
【図１３】
2007182153.tif 000017
【図１４】
2007182153.tif 000018
【図１５】
2007182153.tif 000019
【図１６ａ】
2007182153.tif 000020
【図１６ｂ】
2007182153.tif 000021
【図１７ａ】
2007182153.tif 000022
【図１７ｂ】
2007182153.tif 000023
【図１８ａ】
2007182153.tif 000024
【図１８ｂ】
2007182153.tif 000025
【図１９】
2007182153.tif 000026
【図２０】
2007182153.tif 000027
【図２１】
2007182153.tif 000028
【図２２】
2007182153.tif 000029
【図２３】
2007182153.tif 000030
【図２４ａ】
2007182153.tif 000031
【図２４ｂ】
2007182153.tif 000032
【図２５】
2007182153.tif 000033
【図２６】
2007182153.tif 000034
【図２７ａ】
2007182153.tif 000035
【図２７ｂ】
2007182153.tif 000036